【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
複数の画素が二次元状に配された画素領域を有する撮像素子であって、
第１の方向に沿って配された複数の光電変換部を備えた焦点検出用の第１の画素と、
前記第１の方向に沿って、前記第１の画素と隣り合って配された第２の画素と、
前記第１の方向と直交する第２の方向に沿って、前記第１の画素と隣り合って配された第３の画素と、
前記第１の画素と前記第３の画素との間に設けられ、前記第１の方向に延在する第１の光反射部材と、を有し、
前記第１の画素と前記第２の画素との間に、前記第２の方向に延在する第２の光反射部材が設けられている場合には、前記第１の光反射部材の前記第２の方向の幅は、前記第２の光反射部材の前記第１の方向の幅よりも大きく、
または、
前記第２の光反射部材が設けられていないことを特徴とする撮像素子。
【請求項２】
断面視において、前記第１の光反射部材は、前記第１の画素が有するカラーフィルタと、前記第３の画素が有するカラーフィルタとの間に設けられていることを特徴とする請求項１に記載の撮像素子。
【請求項３】
前記第３の画素は撮像用の画素であって、
前記第１の方向に沿って前記第３の画素と隣り合う複数の画素と、前記第３の画素との間に配され、前記第２の方向に延在する複数の光反射部材の前記第１の方向の間隔は、
前記１の方向に沿って前記１の画素と隣り合う複数の画素と、前記第１の画素との間に配され、前記第２の方向に延在する複数の光反射部材の前記第１の方向の間隔よりも大きいことを特徴とする請求項１または２に記載の撮像素子。
【請求項４】
前記第３の画素は撮像用の画素であって、
前記第１の方向に沿って前記第３の画素と隣り合う複数の画素と、前記第３の画素との間に配され、前記第２の方向に延在する複数の光反射部材の前記第１の方向の間隔と、
前記１の方向に沿って前記１の画素と隣り合う複数の画素と、前記第１の画素との間に配され、前記第２の方向に延在する複数の光反射部材の前記第１の方向の間隔は等しいことを特徴とする請求項１または２に記載の撮像素子。
【請求項５】
前記第３の画素は撮像用の画素であって、
前記第１の方向に沿って前記第３の画素と隣り合い、かつ、前記第２の方向に沿って前記第２の画素と隣り合って配された第４の画素と、
前記第３の画素と前記第４の画素との間に前記第２の方向に延在する第３の光反射部材を有し、
前記第３の光反射部材の前記第１の方向の幅は、前記第２の光反射部材の前記第１の方向の幅よりも大きいことを特徴とする請求項１または２に記載の撮像素子。
【請求項６】
前記画素領域の周辺部に設けられた第２の遮光部材の前記第１方向の幅は、前記画素領域の中央部に設けられた第２の遮光部材の前記第１方向の幅よりも小さいことを特徴とする請求項１から５のいずれか１項に記載の撮像素子。
【請求項７】
複数の画素が二次元状に配された撮像素子であって、
第１の光電変換部の上に第１の遮光部を有する第１の画素と、
第１の方向に沿って前記第１の画素と隣り合って配され、第２の光電変換部の上に第２の遮光部を有し、前記第１の画素と共に焦点検出を行う第２の画素と、
前記第１の方向と直交する第２の方向に沿って、前記第１の画素と隣り合って配された第３の画素と、
前記第１の画素と前記第３の画素との間に設けられ、前記第１の方向に延在する第１の光反射部材と、を有し、
前記第１の画素と前記第２の画素との間に、前記第２の方向に延在する第２の光反射部材が設けられている場合には、前記第１の光反射部材の前記第２の方向の幅は、前記第２の光反射部材の前記第１の方向の幅よりも大きく、
または、
前記第２の光反射部材が設けられていないことを特徴とする撮像素子。
【請求項８】
前記第１の遮光部は、前記第１の方向に関して、前記第１の光電変換部の略中央から前記第２の画素まで、前記第１の光電変換部を覆うように延在して設けられており、
前記第２の遮光部は、前記第１の方向に関して、前記第２の光電変換部の略中央から前記第１の画素まで、前記第２の光電変換部を覆うように延在して設けられていることを特徴とする請求項７に記載の撮像素子。
【請求項９】
複数の画素が二次元状に配された画素領域を有する撮像素子であって、
第１の方向に沿って配された複数の光電変換部と、該複数の光電変換部に対して共通に設けられた１つのマイクロレンズを有する第１の画素と、
前記第１の方向に沿って、前記第１の画素と隣り合って配された第２の画素と、
前記第１の方向と直交する第２の方向に沿って、前記第１の画素と隣り合って配された第３の画素と、
前記第１の画素と前記第３の画素との間に設けられ、前記第１の方向に延在する第１の光反射部材と、を有し、
前記第１の画素と前記第２の画素との間に、前記第２の方向に延在する第２の光反射部材が設けられている場合には、前記第１の光反射部材の前記第２の方向の幅は、前記第２の光反射部材の前記第１の方向の幅よりも大きく、
または、
前記第２の光反射部材が設けられていないことを特徴とする撮像素子。
【請求項１０】
前記第１の光反射部材の屈折率は、前記第１の画素が有するカラーフィルタの屈折率よりも低いことを特徴とする請求項１から９のいずれか１項に記載の撮像素子。
【請求項１１】
前記第１の光反射部材は、シリコン化合物、気体、真空のいずれかを有することを特徴とする請求項１から１０のいずれか１項に記載の撮像素子。
【請求項１２】
前記第１の光反射部材は、金属を有することを特徴とする請求項１から１１のいずれかに記載の撮像素子。
【請求項１３】
前記第１の光反射部材は、銅、アルミニウム、タングステンのいずれかであることを特徴とする請求項１２に記載の撮像素子。
【請求項１４】
複数の画素が二次元状に配された画素領域を有する撮像素子であって、
第１の方向に沿って配された複数の光電変換部と、前記複数の光電変換部に対して共通に設けられた１つのマイクロレンズと、第１のカラーフィルタと、を備えた第１の画素と、
前記第１の方向に沿って、前記第１の画素と隣り合い、少なくとも１つの光電変換部と、第２のカラーフィルタと、を有する第２の画素と、
前記第１の方向と直交する第２の方向に沿って、前記第１の画素と隣り合って配され、少なくとも１つの光電変換部と、第３のカラーフィルタと、を有する第３の画素と、
断面視において、前記第１のカラーフィルタと前記第３のカラーフィルタとの間に設けられた第１の部材と、
断面視において、前記第１のカラーフィルタと前記第２のカラーフィルタとの間に設けられた第２の部材と、を有し
前記第１の部材の前記第２の方向の幅は、前記第２の部材の前記第１の方向の幅よりも大きく、
前記第１の部材および前記第２の部材は、シリコン化合物、気体、真空、金属のいずれかであることを特徴とする撮像素子。
【請求項１５】
前記画素領域の周辺部に設けられた前記第２の部材の前記第１方向の幅は、前記画素領域の中央部に設けられた前記第２の部材の前記第１方向の幅よりも小さいことを特徴とする請求項１４に記載の撮像素子。
【請求項１６】
前記２の画素は、複数の光電変換部を有し、前記複数の光電変換部に対して共通に１つのマイクロレンズが設けられていることを特徴とする１４または１５に記載の撮像素子。
【請求項１７】
複数の画素が二次元状に配された画素領域を有する撮像素子であって、
第１の光電変換部と、前記第１の光電変換部の上に設けられた第１の遮光部と、第１のカラーフィルタを有する第１の画素と、
第１の方向に沿って前記第１の画素と隣り合って配され、第２の光電変換部と、前記第２の光電変換部の上に設けられた第２の遮光部と、第２のカラーフィルタを有し、前記第１の画素と共に焦点検出を行う第２の画素と、
前記第１の方向と直交する第２の方向に沿って、前記第１の画素と隣り合って配され、第３の光電変換部と、第３のカラーフィルタを有する第３の画素と、
前記第１のカラーフィルタと前記第３のカラーフィルタとの間に設けられた第１の部材と、
前記第１のカラーフィルタと前記第２のカラーフィルタとの間に設けられた第２の部材と、を有し、
前記第１の部材の前記第２の方向の幅は、前記第２の部材の前記第１の方向の幅よりも大きく、
前記第１の部材および前記第２の部材は、シリコン化合物、気体、真空、金属のいずれかであることを特徴とする撮像素子。
【請求項１８】
前記第１の遮光部は、前記第１の方向に関して、前記第１の光電変換部の略中央から前記第２の画素まで、前記第１の光電変換部を覆うように延在して設けられており、
前記第２の遮光部は、前記第１の方向に関して、前記第２の光電変換部の略中央から前記第１の画素まで、前記第２の光電変換部を覆うように延在して設けられていることを特徴とする請求項１７に記載の撮像素子。
【請求項１９】
前記第１の部材および前記第２の部材は、金属であることを特徴とする請求項１４から１８のいずれか１項に記載の撮像素子。
【請求項２０】
前記第１の部材および前記第２の部材は、銅、アルミニウム、タングステンのいずれかであることを特徴とする請求項１９に記載の撮像素子。
【請求項２１】
前記第１のカラーフィルタと第２のカラーフィルタの色が異なることを特徴とする請求項１４から２０のいずれか１項に記載の撮像素子。
【請求項２２】
前記撮像素子は、裏面照射型の撮像素子であることを特徴とする請求項１から２１のいずれか１項に記載の撮像素子。
【請求項２３】
前記撮像素子は、表面照射型の撮像素子であることを特徴とする請求項１から２１のいずれか１項に記載の撮像素子。